(57)【要約】  本発明はカメラモジュール（Ｍ）が内蔵された上部キャップ（１０）と前記上部キャップ（１０）の下部に結合された下部キャップ（２０）が３軸回動体（４０）に安着されて３軸回動され、撮影映像の画質を低下する光の乱反射を防止するようにカメラモジュール（Ｍ）が結合された上部キャップ（１０）に乱反射防止具（１３）が備えられた３軸ドーム型監視カメラに関する。
2021523421.tif 000002
【特許請求の範囲】
【請求項１】
壁面や天井に付着されて内蔵されたカメラモジュール（Ｍ）の外部を囲む半球型カバーが備えられたドーム型監視カメラにおいて、
前記カメラモジュール（Ｍ）が撮像可能に上部中央に透視孔（１１）が通孔された半球型上部キャップ（１０）と、
前記上部キャップ（１０）の下部に結合されて球状をなし、中央下端部に下部へ延長された軸心結合部（２１）が備えられた半球型下部キャップ（２０）と、
壁面や天井に結合され、上面に複数の「┌」字状の軸係止端（３１ａ）が円形に配列された軸係止部（３１）と、前記軸係止部（３１）の内側中央部に通孔された配線延長孔（３２）が備えられたベース（３０）と、
前記軸心結合部（２１）との結合時に前記下部キャップ（２０）の外周縁を囲むキャップ安着部（４１）と、前記キャップ安着部（４１）の下部へ延長され、前記軸係止端（３１ａ）に結合されるように下端部に軸心方向に延長されたベース凹入端（４２ａ）が形成された回動支持部（４２）が備えられた３軸回動体（４０）と、
前記下部キャップ（２０）と３軸回動体（４０）の外部を囲み、前記ベース（３０）の上部に結合される外装カバー（５０）とで構成され、
前記軸心結合部（２１）は中央に貫通孔が形成された軸心延長端（２１ａ）と、前記軸心延長端（２１ａ）の下端部で外側に延長された軸心固定端（２１ｂ）とが備えられ、
前記キャップ安着部（４１）の中央には、前記軸心結合部（２１）との結合時に前記軸心延長端（２１ａ）の両側部外周縁に密着されて前記軸心固定端（２１ｂ）が係止されるように前面と後面方向に通孔された弧形の軸心ティルティング溝（４１ａ）が備えられたことを特徴とする３軸ドーム型監視カメラ。
【請求項２】
前記３軸回動体（４０）は前記軸心結合部（２１）の結合と解除が容易になるように一側はヒンジ（Ｈ）で結合され、他側はねじ（Ｎ）で締め付けられることを特徴とする請求項１に記載の３軸ドーム型監視カメラ。
【請求項３】
前記上部キャップ（１０）は前記カメラモジュール（Ｍ）が結合されるモジュール安着端（１２）が備えられ、
前記透視孔（１１）には前記カメラモジュール（Ｍ）の上面から光が入射されるように前記カメラモジュール（Ｍ）の側部を囲み、上下部が貫通された乱反射防止具（１３）が備えられたことを特徴とする請求項１に記載の３軸ドーム型監視カメラ。
【請求項４】
前記外装カバー（５０）の下部内周縁には前記ベース（３０）と結合されるように内側へ突出された複数の結合突起（５１ａ）が形成された着脱部（５１）が備えられ、
前記ベース（３０）の上面先端部には前記着脱部（５１）と結合されるように上部へ延長されたカバー結合部（３３）が備えられ、前記カバー結合部（３３）の外周縁には前記結合突起（５１ａ）が凹入されるように内側へ凹入された結合溝（３３ａ）が備えられたことを特徴とする請求項１に記載の３軸ドーム型監視カメラ。
【請求項５】
前記ベース（３０）の下面先端部には壁面や天井に支持されるように下部へ延長されたベース支持端（３４）が備えられ、前記ベース支持端（３４）の一側端部には外部に電線が延長されるように上部へ凹入された電線延長溝（３４ａ）が備えられたことを特徴とする請求項４に記載の３軸ドーム型監視カメラ。
【請求項６】
前記下部キャップ（２０）の上部先端部には前記上部キャップ（１０）との結合時にガイドされるように下部へ凹入された上部キャップ凹入溝（２０ａ）が備えられ、前記上部キャップ（１０）の下部先端部には前記上部キャップ凹入溝（２０ａ）に凹入されるように下部に延長された下部キャップ結合突起（１０ａ）が備えられ、前記下部キャップ（２０）の下部外周縁には前記上部キャップ（１０）とねじ結合されるように通孔された複数の下部結合孔（２２）が備えられ、前記上部キャップ（１０）の内部には前記下部結合孔（２２）と連動されるように通孔された上部結合孔（１４ａ）が形成されたキャップ結合部（１４）が備えられたことを特徴とする請求項１に記載の３軸ドーム型監視カメラ。
【発明の詳細な説明】
【技術分野】
【０００１】
本発明は３軸ドーム型監視カメラに関し、より詳しくは、カメラの撮影角度を自由に変更することができるように３軸回転が可能な３軸回動体が備えられ、撮影映像の画質を低下する光の乱反射を防止するようにカメラモジュールが結合された上部キャップに乱反射防止具が備えられた３軸ドーム型監視カメラに関する。
【背景技術】
【０００２】
一般に、監視カメラは道路、大型建物、デパート、工場及び展示場などに設置されて交通状況や物品盗難及び機械の作動状態などを遠距離で把握することができるように用いられる。最近にはネットワークの発達により各家庭にも設置されて外部の侵入を監視する機能が加わっている実情である。
【０００３】
即ち、このような監視カメラはドーム型監視カメラ、ズーム監視カメラ及び赤外線監視カメラなどの多様な種類の監視カメラが開発されて、監視対象及び場所によって１台またはその以上のカメラを同時または順次に運用することにより、監視対象を撮影してモニターまたは保存装置に映像信号を送るようになる。
【０００４】
一方、前記ドーム型カメラは一般的に半球型形態で、レンズ及びカメラモジュール、回路部などを固定したブラケットを装着するベースと、半球型カバーと、この半球型カバーをベースに締結する固定部材とで構成される。
【０００５】
従って、従来のドーム型監視カメラは、ベースに装着されたブラケットと、このブラケットに固定されたレンズと、監視領域の被写体が透視される半球型カバーとが備えられ、初期または使用中に監視領域を変更するためには前記半球型カバーを分離して調整しなければならないという問題点があった。
【０００６】
これに係わる従来技術としては韓国登録実用新案第２０−０４６７５７２号公報（２０１３．０６．１４．）には「ドーム型監視カメラ装置」が開示された。
【０００７】
前記従来技術は、図１に示すように、レンズ３１を有するカメラモジュール３と、前記カメラモジュールを固定したブラケットを設置したベース１と、前記ベース１に透視部５１を有する半球型カバー５の羽部５２が固定部材２によって結合されてなるドーム型監視カメラ装置において、前記半球型カバー５の羽部５２が載せられる固定部材２の内側安置溝２１に形成される密閉用小突起２２と、前記固定部材２の安置溝２１の上端に位置する水平面２３に突出して形成される複数の支持棒２４と、前記半球型カバー５の羽部５２を囲みながら嵌め込まれて密封作用をする「⊂」字状の断面で形成される密閉リング６と、前記複数の支持棒２４が挿入される溝７１１が周面に形成される上板７１と前記半球型カバー５の羽部５２の上部に接する下板７２を「
2021523421.tif 000003
」状の断面に折曲して形成したリング部材７と、前記複数の支持棒２４の上部に形成された雌ねじ２１１にそれぞれ締結されて前記リング部材７の離脱を防止する固定ボルト８と、前記固定部材２をベース１に結合させる時半球型カバー５の羽部５２及び密閉リング６を加圧するように前記ベース１の内部に突出して形成される複数の加圧部１１とを含むことを特徴とする。
【０００８】
しかしながら、上述した従来技術はカメラモジュールの透視角度を調整するためには前記半球型カバー５をベース１から分離するように複数のねじの締結を解除した後調整するため、ドーム型監視カメラが複数設置される場所では一度設置した後再調整するのにたくさんの時間がかかるという問題点があった。
【０００９】
また、上述した従来技術は前記半球型カバー５に透明な透視部が弧状に設置されるため、外部光が前記透視部で乱反射されて前記カメラモジュールで撮像される映像の品質が良くないという問題点があった。
【発明の概要】
【発明が解決しようとする課題】
【００１０】
本発明は前記のような従来技術における問題点を解決するために創出されたもので、本発明の目的は、着脱式に結合される外装カバーを解除した後カメラモジュールを３軸回動体を中心としてティルティングまたは回転させることにより、透視角度の調節が容易で、前記カメラモジュールが結合された上部キャップに乱反射防止具が備えられることにより、前記上部キャップを通じて入射される乱反射光を遮断して撮影映像の画質が改善される３軸ドーム型監視カメラを提供することにある。
【課題を解決するための手段】
【００１１】
上述した目的を達するための本発明による３軸ドーム型監視カメラは、壁面や天井に付着されて内蔵されたカメラモジュールの外部を囲む半球型キャップが備えられたドーム型監視カメラにおいて、前記カメラモジュールが撮像可能に上部中央に透視孔が通孔された半球型上部キャップと、前記上部キャップの下部に結合されて球状をなし、中央下端部に下部へ延長された軸心結合部が備えられた半球型下部キャップと、壁面や天井に結合され、上面に複数の「┌」字状の軸係止端が円形に配列された軸係止部と、前記軸係止部の内側中央部に通孔された配線延長孔が備えられたベースと、前記軸心結合部との結合時に前記下部キャップの外周縁を囲むキャップ安着部と、前記キャップ安着部の下部に延長され、前記軸係止端に結合されるように下端部に軸心方向に延長されたベース凹入端が形成された回動支持部が備えられた３軸回動体と、前記下部キャップと３軸回動体の外部を囲み、前記ベースの上部に結合される外装カバーとで構成され、前記軸心結合部は中央に貫通孔が形成された軸心延長端と、前記軸心延長端の下端部で外側に延長された軸心固定端が備えられ、前記キャップ安着部の中央には前記軸心結合部との結合時に前記軸心延長端の両側部外周縁に密着されて前記軸心固定端が係止されるように前面と後面方向に通孔された弧形の軸心ティルティング溝が備えられたことを特徴とする。
【００１２】
前記３軸回動体は前記軸心結合部の結合と解除が容易になるように一側はヒンジで結合され、他側はねじで締め付けられることを特徴とする。
【００１３】
前記上部キャップは前記カメラモジュールが結合されるモジュール安着端が備えられ、前記透視孔には前記カメラモジュールの上面で光が入射されるように前記カメラモジュールの側部を囲み、上下部が貫通された乱反射防止具が備えられたことを特徴とする。
【００１４】
前記外装カバーの下部内周縁には前記ベースと結合されるように内側へ突出された複数の結合突起が形成された着脱部が備えられ、前記ベースの上面先端部には前記着脱部と結合されるように上部へ延長されたカバー結合部が備えられ、前記カバー結合部の外周縁には前記結合突起が凹入されるように内側へ凹入された結合溝が備えられたことを特徴とする。
【００１５】
前記ベースの下面先端部には壁面や天井に支持されるように下部へ延長されたベース支持端が備えられ、前記ベース支持端の一側端部には外部に電線が延長されるように上部に凹入された電線延長溝が備えられたことを特徴とする。
【００１６】
前記下部キャップの上部先端部には前記上部キャップとの結合時にガイドされるように下部へ凹入された上部キャップ凹入溝が備えられ、前記上部キャップの下部先端部には前記上部キャップ凹入溝に凹入されるように下部へ延長された下部キャップ結合突起が備えられ、前記下部キャップの下部外周縁には前記上部キャップとねじ結合されるように通孔された複数の下部結合孔が備えられ、前記上部キャップの内部には前記下部結合孔と連動されるように通孔された上部結合孔が形成されたキャップ結合部が備えられたことを特徴とする。
【発明の効果】
【００１７】
このような本発明の３軸ドーム型監視カメラは次のような効果を奏する。
【００１８】
第一、ベースの軸係止部に結合されるように３軸回動体にベース凹入端が備えられることにより、壁面や天井を基準として上部キャップに内蔵されたカメラモジュールが３軸回動体と一体に回動して撮影角度を容易に調節する。
【００１９】
第二、前記下部キャップの軸心結合部と前記３軸回動体の軸心ティルティング溝の結合時に前記軸心ティルティング溝がヒンジを中心として回動して幅が調節されるように備えられることにより、前記下部キャップの固定、ティルティング及び回動が容易になる。
【００２０】
第三、前記ベースの上面先端部に上部へ延長されたカバー結合部に着脱可能に結合されるように外装カバーの下部内周縁に着脱部が備えられることにより、別途の道具なしに前記カメラモジュールの撮影角度を調整することができる。
【００２１】
第四、前記上部キャップに結合されたカメラモジュールの上部に光が供給されるように透視孔に結合された乱反射防止具が備えられることにより、上部キャップで乱反射されて前記カメラモジュールに入射されることを防止して撮影映像の画質が改善されるという効果を奏する。
【図面の簡単な説明】
【００２２】
【図１】従来技術によるドーム型監視カメラ装置を説明する図面である。
【図２】本発明による３軸ドーム型監視カメラの斜視図である。
【図３】本発明による３軸ドーム型監視カメラの分解斜視図である。
【図４】本発明による監視カメラの断面図である。
【図５】本発明による３軸回動体の作用を説明する図面である。
【発明を実施するための形態】
【００２３】
以下、添付された図面を参照して本発明の一実施例について詳しく説明すれば次の通りである。
【００２４】
本発明による３軸ドーム型監視カメラは、図２〜図５に示すように、壁面や天井に付着されて内蔵されたカメラモジュールＭの外部を囲む半球型キャップが備えられたドーム型監視カメラにおいて、前記カメラモジュールＭが撮像可能に上部中央に透視孔１１が通孔された半球型上部キャップ１０と、前記上部キャップ１０の下部に結合されて球状をなし、中央下端部に下部へ延長された軸心結合部２１が備えられた半球型下部キャップ２０と、壁面や天井に結合され、上面に複数の「┌」字状の軸係止端３１ａが円形に配列された軸係止部３１、及び前記軸係止部３１の内側中央部に通孔された配線延長孔３２が備えられたベース３０と、前記軸心結合部２１との結合時に前記下部キャップ２０の外周縁を囲むキャップ安着部４１、及び前記キャップ安着部４１の下部に延長され、前記軸係止端３１ａに結合されるように下端部に軸心方向に延長されたベース凹入端４２ａが形成された回動支持部４２が備えられた３軸回動体４０と、前記下部キャップ２０と３軸回動体４０の外部を囲み、前記ベース３０の上部に結合される外装カバー５０とで構成される。
【００２５】
ここで、前記軸心結合部２１は中央に貫通孔が形成された軸心延長端２１ａと、前記軸心延長端２１ａの下端部で外側に延長された軸心固定端２１ｂとが備えられる。
【００２６】
前記キャップ安着部４１の中央には前記軸心結合部２１との結合時に前記軸心延長端２１ａの両側部の外周縁に密着され、前記軸心固定端２１ｂが係止されるように前面と後面方向に通孔された弧形の軸心ティルティング溝４１ａが備えられる。
【００２７】
従って、前記下部キャップ２０がキャップ安着部４１に安着される時、前記軸心結合部２１が前記軸心ティルティング溝４１ａに結合されることにより、前記下部キャップ２０は軸心ティルティング溝４１ａを中心としてティルティングされ、前記軸心結合部２１を中心として回動されるようになる。
【００２８】
一方、前記３軸回動体４０は前記軸心結合部２１の結合と解除が容易になるように一側はヒンジＨで結合され、他側はねじＮで締め付けられる。即ち、前記３軸回動体４０は軸心ティルティング溝４１ａを中心として両分され、前記ヒンジＨを中心として回動可能になる。
【００２９】
そして、前記上部キャップ１０には前記カメラモジュールＭが結合されるモジュール安着端１２が備えられ、前記透視孔１１には前記カメラモジュールＭの上面から光が入射されるように前記カメラモジュールＭの側部を囲み、上下部が貫通された乱反射防止具１３が備えられる。前記乱反射防止具１３は外部の光が前記カメラモジュールＭの側部に入射されることを防止して前記カメラモジュールＭの撮影映像の画質を高める。
【００３０】
そして、前記外装カバー５０の下部内周縁には前記ベース３０と結合されるように内側へ突出された複数の結合突起５１ａが形成された着脱部５１が備えられ、前記ベース３０の上面先端部には前記着脱部５１と結合されるように上部へ延長されたカバー結合部３３が備えられ、前記カバー結合部３３の外周縁には前記結合突起５１ａが凹入されるように内側へ凹入された結合溝３３ａが備えられる。
【００３１】
前記外装カバー５０は前記ベース３０に着脱式で結合及び解除されることにより、前記外装カバー５０の内部に配置された前記下部キャップ２０と３軸回動体４０の回動が容易に調節される。
【００３２】
一方、前記ベース３０の下面先端部には壁面や天井に支持されるように下部へ延長されたベース支持端３４が備えられ、前記ベース支持端３４の一側端部には外部に電線が延長されるように上部へ凹入された電線延長溝３４ａが備えられることにより、前記ベース３０が壁面や天井に密着された状態で前記電線を安定的に延長することができるようになる。
【００３３】
そして、前記下部キャップ２０の上部先端部には前記上部キャップ１０との結合時にガイドされるように下部へ凹入された上部キャップ凹入溝２０ａが備えられ、前記上部キャップ１０の下部先端部には前記上部キャップ凹入溝２０ａに凹入されるように下部へ延長された下部キャップ結合突起１０ａが備えられることにより、前記下部キャップ２０と上部キャップ１０との結合が容易になる。
【００３４】
また、前記下部キャップ２０の下部外周縁には前記上部キャップ１０とねじ結合されるように通孔された複数の下部結合孔２２が備えられ、前記上部キャップ１０の内部には前記下部結合孔２２と連動されるように通孔された上部結合孔１４ａが形成されたキャップ結合部１４が備えられることにより、前記上部キャップ１０と下部キャップ２０が一体に結合されて前記軸心結合部２１を中心としてティルティング及び回動されるようになる。
【００３５】
前記のように構成された本発明による３軸ドーム型監視カメラの作用を説明すれば以下の通りである。
【００３６】
本発明の３軸ドーム型監視カメラは、図２〜図５に示すように、ベース３０の上部に３軸回動体４０が結合され、前記３軸回動体４０の内周縁に前記上部キャップ１０と結合された下部キャップ２０の下部外周縁が安着されるようになる。そして、前記３軸回動体４０と下部キャップ２０の外部を囲むように外装カバー５０が前記ベース３０に結合される。
【００３７】
この時、前記３軸回動体４０のベース凹入端４２ａは前記ベース３０の上面に備えられた「┌」字状の軸係止端３１ａが円形に配列された軸係止部３１に結合されて回動される。即ち、前記上部キャップ１０に内蔵されたカメラモジュールＭは前記３軸回動体４０の回動によってベース凹入端４２ａと軸係止端３１ａを軸心として１軸回動される。
【００３８】
そして、前記３軸回動体４０のキャップ安着部４１に形成された弧形の軸心ティルティング溝４１ａに前記下部キャップ２０の軸心結合部２１が凹入されて、２軸及び３軸回動する。即ち、前記軸心ティルティング溝４１ａで前記下部キャップ２０は前後面に移動してティルティングされる点で前記キャップ安着部４１の中心を基準として２軸ティルティングされ、前記軸心結合部２１の軸心を中心として３軸回動して撮影角度を調節することができる。
【００３９】
この時、前記３軸回動体４０は前記軸心ティルティング溝４１ａが形成された中心の幅が調節されるように一側はヒンジＨで結合され、他側はねじＮで締め付けられる。即ち、前記ねじＮを解除することにより、前記軸心ティルティング溝４１ａの幅を拡張して前記軸心結合部２１のティルティング角と回動角を調節することができ、前記ねじＮを締め付けることにより、前記軸心結合部２１の外周縁に前記軸心ティルティング溝４１ａの端部が密着されて前記下部キャップ２０を固定するようになる。
【００４０】
このような調節は一つのねじＮの締付と解除を通じて前記カメラモジュールＭの透視角度を容易に調整することができる。
【００４１】
一方、前記上部キャップ１０の透視孔１１にはカメラモジュールＭの側部を囲み、上下部が貫通された乱反射防止具１３が備えられることにより、前記透視孔１１の側部で入射される乱反射光を遮断して撮影映像の画質を改善することができ、前記乱反射防止具１３の上部先端には外部の埃と湿気を遮断する透明レンズ（図示しない）が備えられる。
【００４２】
そして、前記外装カバー５０の内周縁にはベース３０の上面先端部に備えられたカバー結合部３３と結合される着脱部５１が備えられることにより、ドライバーなどの簡単な道具で前記カバー結合部３３と着脱部５１の結合を解除して前記カメラモジュールＭの撮影角度を調整することができるようになる。
【００４３】
また、前記下部キャップ２０と上部キャップ１０は前記上部キャップ１０の下部キャップ結合突起１０ａが上部キャップ凹入溝２０ａに安着された状態で前記下部キャップ２０の下部結合孔２２と上部キャップ１０の上部結合孔１４ａをねじ締結させることにより、前記上部キャップ１０と下部キャップ２０との締結が容易になる。
【００４４】
一方、前記カメラモジュールＭで延長された電線は前記下部キャップ２０の軸心結合部２１とベース３０の配線延長孔３２及び電線延長溝３４ａを通じて外部に延長されることにより、前記ベース３０を壁面や天井に密着して堅固に固定することができる。
【００４５】
本発明は上述した特定の好ましい実施例に限定されず、特許請求範囲で請求する本発明の要旨を逸脱することなく当該発明が属する技術分野において通常の知識を有する者であれば誰でも多様な変形実施が可能であることは勿論であり、そのような変更は特許請求範囲に記載の範囲内に属する。
【符号の説明】
【００４６】
１０：上部キャップ
１０ａ：下部キャップ結合突起
１１：透視孔  
１２：モジュール安着端
１３：乱反射防止具
１４：キャップ結合部
１４ａ：上部結合孔
２０：下部キャップ
２０ａ：上部キャップ凹入溝
２１：軸心結合部
２１ａ：軸心延長端
２１ｂ：軸心固定端
２２：下部結合孔
３０：ベース
３１：軸係止部
３１ａ：軸係止端
３２：配線延長孔
３３：カバー結合部
３３ａ：結合溝
３４：ベース支持端
３４ａ：電線延長溝
４０：３軸回動体
４１：キャップ安着部
４１ａ：軸心ティルティング溝
４２：回動支持部
４２ａ：ベース凹入端
５０：外装カバー
５１：着脱部
５１ａ：結合突起
Ｈ：ヒンジ  
Ｍ：カメラモジュール  
Ｎ：ねじ
【図１】
2021523421.tif 000004
【図２】
2021523421.tif 000005
【図３】
2021523421.tif 000006
【図４（ａ）】
2021523421.tif 000007
【図４（ｂ）】
2021523421.tif 000008
【図５（ａ）】
2021523421.tif 000009
【図５（ｂ）】
2021523421.tif 000010
【国際調査報告】
2021523421.tif 000011
2021523421.tif 000012
2021523421.tif 000013
2021523421.tif 000014